(57)【特許請求の範囲】
【請求項１】
加熱調理台及びシンク等が具備されたキッチン天板と、軸方向に沿って嵌込み溝が形成され且つ前記キッチン天板上に直立状態で固定されるホルダと、仕切板と、前記嵌込み溝に挿入される下端支持ブロックとからなり、前記ホルダは適宜の間隔をおいて前記キッチン天板上に直立状態で固着され、両ホルダの嵌込み溝の下端に前記下端支持ブロックが挿入され且つ前記両嵌込み溝に前記仕切り板が装着されると共に、該仕切り板は前記下端支持ブロック上に載置され、該下端支持ブロックを介して前記仕切り板の下端縁と前記キッチン天板との間に適宜の隙間が形成されてなることを特徴とするキッチン用仕切りパネル装置。
【請求項２】
請求項１において、前記下端支持ブロックは前記嵌込み溝に対して圧入手段により挿入固定されてなることを特徴とするキッチン用仕切りパネル装置。
【請求項３】
請求項１又は２において、前記下端支持ブロックは前記嵌込み溝に対して両面粘着テープにて固定されてなることを特徴とするキッチン用仕切りパネル装置。
【請求項４】
請求項１又は２において、前記下端支持ブロックは前記嵌込み溝に対して接着剤にて固定されてなることを特徴とするキッチン用仕切りパネル装置。
【請求項５】
請求項１，２，３又は４のいずれか１項の記載において、前記下端支持ブロックは合成樹脂製としてなることを特徴とするキッチン用仕切りパネル装置。
【請求項６】
請求項１，２，３，４又は５のいずれか１項の記載において、前記ホルダは、上下方向の下部領域は下端に向かうに従い次第に幅方向が広くなるように形成されてなることを特徴とするキッチン用仕切りパネル装置。
【請求項７】
請求項６において、前記ホルダの下端面には、前記嵌込み溝を中心にして両側に位置するように取付用螺子孔が形成されてなることを特徴とするキッチン用仕切りパネル装置。
【請求項８】
請求項１，２，３，４，５，６又は７のいずれか１項の記載において、前記ホルダには、前記嵌込み溝内にて前記仕切り板が固定される固定螺子が具備され、前記仕切り板は前記ホルダから着脱自在としてなることを特徴とするキッチン用仕切りパネル装置。
【請求項９】
請求項１，２，３，４，５，６，７又は８のいずれか１項の記載において、前記仕切り板の外周には枠体が装着され、該枠体の一部が前記両嵌込み溝に挿入されてなることを特徴とするキッチン用仕切りパネル装置。
【発明の詳細な説明】
【技術分野】
【０００１】
本発明は、台所のキッチンシステムにおいて、加熱調理台，シンク等と、その周囲とを板にて仕切ると共に、仕切り箇所でのキッチン天板の清掃を行い易くすることができるキッチン用仕切りパネル装置に関する。
【背景技術】
【０００２】
キッチンでは、ガス，ＩＨ等の加熱調理台における調理作業時に油等が飛散し、またシンクでは食器洗い作業で、水が周囲に飛散し、周囲を汚してしまい、食後の清掃や、後片付けが増えることになる。特に、キッチンとダイニングが連続する部屋の構成では、調理及び食器洗い等の油，水の飛散がダイニング側に及び、フローリングやじゅうたん等を汚してしまうことになる。
【０００３】
そのために、キッチンの天板で前記加熱調理台及びシンクの付近には衝立が設けられている。その衝立は、種々のものが出回っているが、たとえば特許文献１に開示されているように、衝立は、ガラス板を支持部材によって支持するタイプのものが多い。そして、ガラス板と天板との間には、手が余裕をもって差し込むことができる程度の隙間が設けられる。これは、天板を拭き掃除する場合に、ガラス板の下端が天板に接触していたり、その隙間が僅かであると、天板を台拭きにて拭くことができず、衝立付近が汚れたままの状態となる。それゆえに、ガラス板と天板との間には、拭き掃除ができる程度の十分な隙間が確保される必要があり、特許文献１でも、その隙間が確保される構造となっている。
【先行技術文献】
【特許文献】
【０００４】
【特許文献１】特開２０１０−１１９５３
【発明の概要】
【発明が解決しようとする課題】
【０００５】
特許文献１では、衝立の構造としてガラス板を支持する支柱部材は複数の部品から構成され、これらを組み立てつつ、ガラス板も支持されるようにしなければならない。つまり、衝立を構成する作業が極めて面倒であり、且つ支柱部材も構成が複雑であるがゆえに、値段も高価なものとなってしまう。本発明の目的（技術的課題）は、極めて簡単な構造で且つ簡単な組立作業にて、キッチンの加熱調理台，シンクの付近に仕切り板を垂直に設置することができ、且つ仕切り板の下端と天板との間の隙間も簡単な構成にて確保することができるキッチン用仕切りパネル装置を提供することにある。
【課題を解決するための手段】
【０００６】
そこで、発明者は、上記課題を解決すべく鋭意，研究を重ねた結果、請求項１  の発明を、加熱調理台及びシンク等が具備されたキッチン天板と、軸方向に沿って嵌込み溝が形成され且つ前記キッチン天板上に直立状態で固定されるホルダと、仕切板と、前記嵌込み溝に挿入される下端支持ブロックとからなり、前記ホルダは適宜の間隔をおいて前記キッチン天板上に直立状態で固着され、両ホルダの嵌込み溝の下端に前記下端支持ブロックが挿入され且つ前記両嵌込み溝に前記仕切り板が装着されると共に、該仕切り板は前記下端支持ブロック上に載置され、該下端支持ブロックを介して前記仕切り板の下端縁と前記キッチン天板との間に適宜の隙間が形成されてなるキッチン用仕切りパネル装置としたことにより、上記課題を解決した。
【０００７】
請求項２の発明を、請求項１において、前記下端支持ブロックは前記嵌込み溝に対して圧入手段により挿入固定されてなるキッチン用仕切りパネル装置としたことにより、上記課題を解決した。請求項３の発明を、請求項１又は２において、前記下端支持ブロックは前記嵌込み溝に対して両面粘着テープにて固定されてなるキッチン用仕切りパネル装置としたことにより、上記課題を解決した。請求項４の発明を、請求項１又は２において、前記下端支持ブロックは前記嵌込み溝に対して接着剤にて固定されてなるキッチン用仕切りパネル装置としたことにより、上記課題を解決した。請求項５の発明を、請求項１，２，３又は４のいずれか１項の記載において、前記下端支持ブロックは合成樹脂製としてなるキッチン用仕切りパネル装置としたことにより、上記課題を解決した。
【０００８】
請求項６の発明を、請求項１，２，３，４又は５のいずれか１項の記載において、前記ホルダは、上下方向の下部領域は下端に向かうに従い次第に幅方向が広くなるように形成されてなるキッチン用仕切りパネル装置としたことにより、上記課題を解決した。請求項７の発明を、請求項６において、前記ホルダの下端面には、前記嵌込み溝を中心にして両側に位置するように取付用螺子孔が形成されてなるキッチン用仕切りパネル装置としたことにより、上記課題を解決した。
【０００９】
請求項８の発明を、請求項１，２，３，４，５，６又は７のいずれか１項の記載において、前記ホルダには、前記嵌込み溝内にて前記仕切り板が固定される固定螺子が具備され、前記仕切り板は前記ホルダから着脱自在としてなるキッチン用仕切りパネル装置としたことにより、上記課題を解決した。請求項９の発明を、請求項１，２，３，４，５，６，７又は８のいずれか１項の記載において、前記仕切り板の外周には枠体が装着され、該枠体の一部が前記両嵌込み溝に挿入されてなるキッチン用仕切りパネル装置としたことにより、上記課題を解決した。
【発明の効果】
【００１０】
請求項１の発明では、軸方向に沿って嵌込み溝が形成されたホルダを適宜の間隔をおいて、キッチン天板に垂直状に配置し、両ホルダの嵌込み溝に仕切り板を挿入することにより、仕切り板は前記下端支持ブロック上に載置され、該下端支持ブロックを介して前記仕切り板の下端とキッチン天板との間に適宜の隙間が形成されるものであり、極めて簡単にキッチン用仕切りパネル装置を構成することができる。また、前記ホルダは、軸方向に沿って嵌込み溝が形成され、且つキッチン天板への固定用のボルト孔が形成されるのみでその他にはなんら加工が行われないものにできる。
【００１１】
請求項２の発明では、下端支持ブロックは前記嵌込み溝に対して圧入手段により挿入固定される構成としたので、下端支持ブロックは、ホルダに極めて簡単に装着することができる。請求項３の発明では、下端支持ブロックは前記嵌込み溝に対して両面粘着テープにて固定される構成としているので、両面粘着テープの保護シートを剥離するのみで、下端支持ブロックをホルダに簡単に装着できる。
【００１２】
請求項４の発明を、前記下端支持ブロックは前記嵌込み溝に対して接着剤にて固定されてなるキッチン用仕切りパネル装置としたので、下端支持ブロックを強固に固定することができる。請求項５の発明では、下端支持ブロックを合成樹脂製としたことにより、特にホルダが硬質な金属製とした場合では、下端支持ブロックは、ホルダの材質よりも軟質となる。したがって、下端支持ブロックをホルダの嵌込み溝に圧入し易くなり、容易にホルダに装着できると共に、下端支持ブロックの装着作業時におけるホルダ表面への傷が付き難いようにすることができる。
【００１３】
請求項６の発明では、ホルダは、上下方向の下部領域は下端に向かうに従い次第に幅方向が広くなるように形成されることにより、キッチン天板に接触する面積も広くなり、安定した状態に設置できる。請求項７の発明では、ホルダの下端面には、前記嵌込み溝を中心にして両側に位置するように取付用螺子孔が形成され、キッチン天板に対してホルダは幅方向両側にて固定され、仕切り板を倒すような外力がかかっても、極めて倒れ難い構成にすることができる。
【００１４】
請求項８の発明では、ホルダには、前記嵌込み溝内にて前記仕切り板が固定される固定螺子が具備され、仕切り板はホルダから着脱自在となる構成としたことにより、仕切り板は、固定螺子を締め付けるのみで、ホルダに固定することができ、また固定螺子を緩めることにより、ホルダから仕切り板を容易に外すことができ、仕切り板全体をホルダから取り外すことにより、仕切り板直下付近のキッチン天板の拭き掃除等の清掃を行い易くできる。請求項９の発明では、仕切り板の外周には枠体が装着され、該枠体の一部が前記両嵌込み溝に挿入される構成により、仕切り板の縁に人体の一部や物が当たっても安全を確保すると共に、仕切り板自体の耐久性も向上する。
【図面の簡単な説明】
【００１５】
【図１】（Ａ）はキッチン天板に本発明を装着した斜視図、（Ｂ）は（Ａ）の要部拡大斜視図、（Ｃ）は（Ｂ）の（ア）部拡大図である。
【図２】（Ａ）は本発明の要部縦断正面図、（Ｂ）は（Ａ）の（イ）部拡大断面図、（Ｃ）は（Ａ）のＸ1−Ｘ1矢視断面図、（Ｄ）は（Ａ）のＸ2−Ｘ2矢視断面図。
【図３】（Ａ）はホルダ，下端支持ブロック，ガスケット及び化粧キャップの分離状態の斜視図、（Ｂ）は第１固定手段におけるホルダと下端支持ブロックを示す横断平面図、（Ｃ）は第２固定手段におけるホルダと下端支持ブロックを示す横断平面図、（Ｄ）は第３固定手段におけるホルダと下端支持ブロックを示す横断平面図、（Ｅ）はホルダ頂部に化粧キャップが装着された要部断面図、（Ｆ）は（Ｅ）のＸ3−Ｘ3矢視断面図である。
【図４】（Ａ）はホルダと撮み部を設けた下端支持ブロックとの分離状態の斜視図、（Ｂ）は要部拡大断面図、（Ｃ）は断面方形状としたホルダの断面図、（Ｄ）は別のタイプのホルダとガスケット及び下端支持ブロックとの分離状態の斜視図である。
【図５】（Ａ）は別の実施形態のホルダにて仕切り板をキッチン天板に装着した要部斜視図、（Ｂ）は（Ａ）の（ウ）部拡大図、（Ｃ）は枠体が装着された仕切り板の正面図、（Ｄ）は（Ｃ）のＹ1−Ｙ1矢視拡大断面図、（Ｅ）は（Ｃ）のＸ4−Ｘ4矢視拡大断面図、（Ｆ）は（Ｃ）のＸ5−Ｘ5矢視拡大断面図である。
【図６】（Ａ）は別の実施形態のホルダにて仕切り板をキッチン天板に装着した一部断面にした要部拡大正面図、（Ｂ）は別の実施形態のホルダにて仕切り板をキッチン天板に装着した一部断面にした要部拡大側面図、（Ｃ）は（Ｂ）の（エ）部拡大図、（Ｄ）は（Ｂ）のＸ6−Ｘ6矢視断面図、（Ｅ）は別の実施形態のホルダの斜視図である。
【発明を実施するための形態】
【００１６】
以下、本発明の実施形態を図面に基づいて説明する。まず、本発明では、図１に示すように、システムキッチンのキッチン天板７に装着されるものである。キッチン天板７には加熱調理台７１及びシンク７２が備わっている。加熱調理台７１は、ＩＨ又はガスコンロ等である。キッチン天板の加熱調理台７１及びシンク７２の付近には、キッチン用仕切りパネルが装着される。
【００１７】
特に、加熱調理台及びシンクの付近の位置とは、使用する人の側から見て奥側の位置となる〔図１（Ａ）参照〕。システムキッチンの設置位置は、キッチンルームとダイニングルームとがオープンに連続する部屋においては、キッチンルームとダイニングルームとがその境界となる部分である。したがって、加熱調理台７１及びシンク７２での使用にあたり、油が飛散したり、洗い水等が飛散しダイニングルームが汚れるおそれが十分にある。そこで、油・水等の周囲への飛散を防止する目的でキッチン用仕切りパネルがキッチン天板７上に設けられる。
【００１８】
まず、キッチン用仕切りパネルを構成する主な部材は、図１，図２に示すように、ホルダ１、下端支持ブロック２，ガスケット４及び仕切り板６であり、さらに、化粧キャップ５が必要に応じて具備される。ホルダ１は、金属製であり、略円筒又は円柱形状に形成されている。ホルダ１の軸方向に沿って嵌込み溝１１が形成されている。嵌込み溝１１は、外周側面から長手方向に直交する断面の中心に向かって形成された空隙部であり、平行に対向する内側面１１１，１１１及び両内側面１１１，１１１の間に位置する奥側面１１２とから構成される。
【００１９】
両内側面１１１，１１１には、段差１１１ａ，１１１ａを介して前記両内側面１１１，１１１の間隔が広くなるガスケット収納部１１ｓが形成されている。前記ホルダ１は、その長手方向に直交する断面形状が、長方形或は正方形等の略方形状に形成されることもある〔図４（Ｃ）参照〕。また、前記ホルダ１の嵌込み溝１１には、前述した段差１１１ａが形成されず、内側面１１１，１１１と奥側面１１２とのみからなり、長手方向に直交する断面が単に長方形或は正方形等の略方形状に形成されるタイプも存在する〔図４（Ｄ）参照〕。
【００２０】
また、ホルダ１の軸方向に沿って中空円筒状となる主貫通孔１２が形成されている〔図２（Ｄ），図３（Ａ）参照〕。該主貫通孔１２は、キッチン天板に固着する役目をなすボルト等の固着具用に内螺子部１２１が形成されたり、後述する化粧キャップ５を装着するための役目をなす。さらに、前記嵌込み溝１１の幅方向両側の位置には、後述する化粧キャップ５の位置決め突起が嵌合する副貫通孔１３，１３が形成されている。該副貫通孔１３，１３は、前記嵌込み溝１１と連通形成されている。
【００２１】
このように、嵌込み溝１１と両副貫通孔１３，１３とが連通する形状とすることで、ホルダ１の製造が行い易くなり、より一層低価格に提供することができる。また、前記嵌込み溝１１と両副貫通孔１３，１３とが不連続にて、別々に形成されてもかまわない。ホルダ１は、前述したように金属製としているが、強度的且つ防炎性を有するものであれば、合成樹脂であってもかまわない。
【００２２】
ホルダ１の別の実施形態として、図５（Ａ），（Ｂ）及び図６（Ｂ），（Ｅ）に示すように、上下方向の下部領域において、下端に向かうに従い次第に幅方向が広くなるように形成されるものが存在する。この実施形態では、ホルダ１の上下方向において、下部箇所では下端に向かって幅方向両側より次第に外方に向かって略三角形状に膨出する部位が形成される〔図５（Ａ），（Ｂ）及び図６（Ｂ），（Ｅ）参照〕。この膨出部分は、ホルダ１の下部領域において、下端に向かって次第に広がる部分であり、これを拡開部１４と称する。そして、該拡開部１４では、下端が最も幅方向寸法が大きくなり、下端の面である下端面１４ａの面積は、上下方向のいずれの位置で直交する断面積よりも大きくなっている〔図６（Ｅ）参照〕。嵌込み溝１１は、断面略方形状で、内側面１１１，１１１と奥側面１１２とから構成されている〔図６（Ｅ）参照〕。
【００２３】
また、下端面１４ａと同一形状となる領域が下端から上方に向かって僅かの領域で形成されることもある〔図５（Ｂ）、図６（Ｂ），（Ｅ）参照〕。前記下端面１４ａには、幅方向両側で且つ前記嵌込み溝１１を中心にしてその両側に位置するように２個の取付用螺子孔１５，１５が形成されている。該取付用螺子孔１５は、後述するように、キッチン天板７にホルダ１を固定するためのボルト８がねじ込まれる部位となる。また、前記取付用螺子孔１５の孔形成方向は、ホルダ１の上下方向である。また、ホルダ１の上下方向に直交する断面形状は上部では略正方形であり、下部では略長方形状となる〔図５（Ｂ）、図６（Ｂ），（Ｅ）参照〕。
【００２４】
この実施形態によって、ホルダ１は、キッチン天板７上に載置したときに、安定性を有するものであり、且つ最も倒れにくいものにすることができる〔図５（Ｂ），図６（Ｂ）参照〕。また、ホルダ１の上下方向下部領域に前記拡開部１４が設けられる構成は、ホルダ１の上下方向に直交する断面形状が円形状又は楕円形状の場合でも適用されることは可能である。  
【００２５】
下端支持ブロック２は、後述する仕切り板６の下端縁６１と前記キッチン天板７との間に適宜の高さ方向の間隔を有する隙間Ｑを形成する役目をなすものである〔図２（Ａ），（Ｂ），図３（Ａ）参照〕。この隙間Ｑは、キッチン天板７を拭き掃除するために必要なスペースである。下端支持ブロック２は、合成樹脂にて形成される。或は下端支持ブロック２が金属製にて形成されることもある。下端支持ブロック２は、略直方体形状であり具体的には外周を構成する横幅方向の横側面２ａ，２ａと、縦幅方向の縦側面２ｂ，２ｂと、頂面２ｃ及び底面２ｄからなる６面体であり、実際には、四角柱形状に形成されている〔図３（Ａ）参照〕。
【００２６】
下端支持ブロック２は、前記ホルダ１の嵌込み溝１１に挿入される部材であって、嵌込み溝１１に装着された仕切り板６の下端縁６１を持ち上げるようにして支持するものである。下端支持ブロック２は、その上下方向の高さが前記隙間Ｑの高さ寸法と等しくなるように形成されている。さらに下端支持ブロック２には、撮み部２２が形成されることもあり〔図４（Ａ），（Ｂ）参照〕、該撮み部２２により下端支持ブロック２を嵌込み溝１１に装着したり、或は取り外す作業が行い易くなる。
【００２７】
下端支持ブロック２は、前記ホルダ１の嵌込み溝１１に横（水平）方向から挿入することができるようになっている。もちろんホルダ１の軸方向下端側から嵌込み溝１１に挿入してもよい。下端支持ブロック２は、ホルダ１の嵌込み溝１１に挿入され且つ該嵌込み溝１１内に固定されるための手段が複数存在するものであり、その第１固定手段としては、下端支持ブロック２を嵌込み溝１１に圧入により挿入固定する〔図３（Ｂ）参照〕。
【００２８】
具体的には、下端支持ブロック２の両横側面２ａ，２ａにおける幅方向寸法Ｗ2は、前
記ホルダ１の嵌込み溝１１の溝幅間隔Ｗ1よりも微小量だけ大きくし〔図３（Ｂ）参照〕
、下端支持ブロック２が嵌込み溝１１に押し込まれることによって下端支持ブロック２を嵌込み溝１１の両内側面１１１，１１１に挟持押圧されるように固定されるものである。
【００２９】
その第２固定手段としては、下端支持ブロック２の適宜の一面に両面粘着テープ３１の一面が使用され、該両面粘着テープ３１の他方側面が嵌込み溝１１の奥側面１１２に貼着固定されるものである〔図３（Ｃ）参照〕。この第２固定手段では、下端支持ブロック２の両横側面２ａ，２ａの幅方向寸法Ｗ2は、ホルダ１の嵌込み溝１１の溝幅間隔Ｗ1よりも小さくして、遊挿することができる程度となっている。また、この第２固定手段に圧入による第１固定手段を組合わせることもある。
【００３０】
その第３固定手段としては、接着剤３２を使用するものである〔図３（Ｄ）参照〕。この第３固定手段では、下端支持ブロック２のいずれか一方の縦側面２ｂに接着剤３２を塗布し、接着剤３２の塗布面が前記嵌込み溝１１の奥側面１１２に当接されて固着されるものである。また、図中の符号３２ａは、前記接着剤３２が収納されているチューブである。この第３固定手段も、前述した第２固定手段と同様に、圧入による第１固定手段を組合わせることもある。
【００３１】
化粧キャップ５は、前記ホルダ１の頂部に装着される部材であり、略円板形状の化粧板部５１の外周より直径中心に向かって開口切欠部５１ａが形成されている。該開口切欠部５１ａは、ホルダ１の嵌込み溝１１と空隙が連通するものである。化粧板部５１の下面側には主凸部５２と、副凸部５３，５３とが形成されている。また前記主凸部５２には係止突起５２aが形成されている。
【００３２】
そして、化粧キャップ５は、前記主凸部５２がホルダ１の主貫通孔１２に挿入して、該主貫通孔１２の内周壁面と、前記係止突起５２aが相互に押圧し合うことにより固定される。また、前記副凸部５３，５３がホルダ１の副貫通孔１３，１３に挿入することで、位置決めが正確となる〔図３（Ｅ），（Ｆ）参照〕。つまり、化粧キャップ５の開口切欠部５１ａとホルダ１の嵌込み溝１１とが位置的に一致することができるようになっている。
【００３３】
仕切り板６は、ガラス板又はアクリル等の合成樹脂板が使用される。そして、仕切り板６は、透明であることが好ましい。ガスケット４は、仕切り板６の幅方向両側縁が挿入される部材であり、ガスケット４は、ホルダ１のガスケット収納部１１ｓに収納される。仕切り板６の形状は長方形であり、且つ上端の両側の角部分は円弧形状に形成されることが安全上において好ましい〔図１（Ｂ）、図２（Ａ）参照〕。仕切り板６には、その外周に枠体９が装着される実施形態も存在する〔図５（Ｃ）参照〕。該枠体９は、水平枠９１，垂直枠９２，上部コーナ枠９３等から構成されている（図５参照）。水平枠９１，垂直枠９２及び上部コーナ枠９３はそれぞれ２個用意される。そして、上下２本の水平枠９１と、左右２本の垂直枠９２と上部コーナ枠９３とが連結されて、長方形の枠が構成される。
【００３４】
水平枠９１は、枠体９の横枠部材として使用されるものであって、外周面９１ａと、側面９１ｂと、折曲片９１ｃとから構成されたものであり、外周面９１ａの幅方向両側から側面９１ｂ，９１ｂが直角に形成され、これら外周面９１ａと両側面９１ｂ，９１ｂによって断面略門形状となり、前記両側面９１ｂ，９１ｂの端部より門形状の内方に向かって折曲片９１ｃ，９１ｃが形成され、これらが長手方向に沿って長尺に形成されたものである〔図５（Ａ），（Ｃ），（Ｄ）参照〕。
【００３５】
また、垂直枠９２は、枠体９の縦枠部材として使用されるものであり、前記水平枠９１と同様に、外周面９２ａと、側面９２ｂと、折曲片９２ｃとから構成されたものであり、外周面９２ａの幅方向両側から側面９２ｂ，９２ｂが直角に形成され、これら外周面９２ａと両側面９２ｂ，９２ｂによって断面略門形状となり、前記両側面９２ｂ，９２ｂの端部より門形状の内方に向かって折曲片９２ｃ，９２ｃが形成され、これらが長手方向に沿って長尺に形成されたものである〔図５（Ａ），（Ｃ），（Ｅ）参照〕。垂直枠９２は、前記水平枠９１と同等且つ同大の断面形状を有している。
【００３６】
上部コーナ枠９３は、枠体９の上部の両角部に使用される部材であって、（１／４）円弧とした枠部材であり、外周面９３ａと側面９３ｂとから構成され、外周面９３ａの幅方向両側から側面９３ｂ，９３ｂが形成され、前記両側面９３ｂ，９３ｂの他端から内方に向かって折曲片９３ｃ，９３ｃが形成されている。上部コーナ枠９３の円弧方向に直交する断面形状は、前記水平枠９１及び垂直枠９２と同等且つ同大である〔図５（Ａ），（Ｃ），（Ｆ）参照〕。
【００３７】
そして、水平枠９１，垂直枠９２には、ガスケット４がそれぞれ内装される。また、上部コーナ枠９３には、ガスケット４が必要に応じて内装される。ガスケット４の水平枠９１，垂直枠９２及び上部コーナ枠９３への内装については、具体的に水平枠９１で説明すると外周面９１ａ，両側面９１ｂ及び両折曲片９１ｃ，９１ｃによって囲まれた部分に、ガスケット４が配置される。そして、この構成は、垂直枠９２及び上部コーナ枠９３についても同様である。水平枠９１，垂直枠９２及び上部コーナ枠９３に内装されたガスケット４に仕切り板６の上下両辺，左右両辺が挿入されることにより、仕切り板６に水平枠９１，垂直枠９２及び上部コーナ枠９３が装着される〔図５（Ａ），（Ｃ）、図６（Ｂ）等参照〕。
【００３８】
また、枠体９の下方の両角部では、水平枠９１と垂直枠９２とが直角となるように連結される。したがって、枠体９の下方に位置する水平枠９１の両側面９１ｂの長手方向両側の端縁は４５度の傾斜端縁として形成され、同様に垂直枠９２においても、上下方向の下端側の端縁が４５度の傾斜端縁として形成される〔図５（Ｃ），図６（Ａ）参照〕。このようにして、垂直枠９２と、下方の水平枠９１は、直角に接続される。  また、ホルダ１には、前記両嵌込み溝１１にて前記仕切り板６が固定される固定螺子１７が具備される実施形態が存在する（図６参照）。具体的には、ホルダ１の上下外周部から、嵌込み溝１１の一方の内側面１１１との間を水平方向に貫通する螺子孔１６が形成され、該螺子孔１６に固定螺子１７が螺合装着されている。
【００３９】
そして、垂直枠９２の側面９１ｂには、係止貫通孔９２ｅが形成されており、前記固定螺子１７は、嵌込み溝１１内に挿入された枠体９の垂直枠９２に形成された前記係止貫通孔９２ｅに入り込み、嵌込み溝１１に枠体９を固定するものである。また、固定螺子１７の螺子軸部１７１の長さは、ガスケット４の位置には到達しないように設定され、ガスケット４を固定螺子１７が食い込まないようにしている。固定螺子１７を緩めると螺子軸部１７１は、係止貫通孔９２ｅから外れ、仕切り板６を枠体９ごとホルダ１から容易に外すことができる。また、仕切り板６に枠体９が装着されない場合では、前記固定螺子１７は、嵌込み溝１１に装着されたガスケット４を押圧することによって仕切り板６を固定することができる
【００４０】
また、仕切り板６に枠体９が装着された状態で、仕切り板６を両ホルダ１，１の嵌込み溝１１，１１内に装着したものでは、両ホルダ１，１の嵌込み溝１１，１１に挿入装着された両下端支持ブロック２，２により枠体９が支持される。そして、前記隙間Ｑは、枠体９の下方側の水平枠９１の下端と、キッチン天板７との間に生じる隙間となる〔図５（Ａ），（Ｂ），図６（Ａ）参照〕。これによって、枠体９が装着された仕切り板６の下方箇所の清掃を簡単にでき、清掃作業効率が向上する。
【００４１】
まず、本発明では、ホルダ１の嵌込み溝１１内にガスケット４が装着される。ガスケット収納部１１ｓが形成されているものでは、該ガスケット収納部１１ｓにガスケット４が収納される。また。ホルダ１の嵌込み溝１１の下端側には、ガスケット４が前述した固定手段により装着される。ホルダ１は、キッチン天板７の加熱調理台７１箇所及びシンク７２箇所に適宜の間隔をおいて配置される。具体的には、ホルダ１が直立した状態で、キッチン天板７の下面からボルト８が挿入されてホルダ１の主貫通孔１２にボルト８がねじ込まれる。このとき、主貫通孔１２には内螺子部１２１が形成されていると、作業が効率的となる。
【００４２】
そして、適宜の間隔をおいて装着された両ホルダ１，１は、嵌込み溝１１，１１が対向するように配置され、両嵌込み溝１１，１１内に装着された両ガスケット４，４を介して仕切り板６が挿入装着される。仕切り板６の下端縁６１の幅方向両側端部箇所は、両ホルダ１，１の嵌込み溝１１，１１に挿入装着された両下端支持ブロック２，２により支持され、仕切り板６の下端縁６１とキッチン天板７の表面との間に隙間Ｑが形成されることになる。前記化粧キャップ５は、ホルダ１の頂部箇所に固着される。このように、ホルダ１には、何ら加工することなく、下端支持ブロック２，ガスケット４及び化粧キャップ５等を装着することができ、その組付けも極めて簡単にすることができる。
【符号の説明】
【００４３】
１…ホルダ、１１…嵌込み溝、２…下端支持ブロック、３１…両面粘着テープ、
３２…接着剤、６…仕切り板、７…キッチン天板、７１…加熱調理台、７２…シンク、
９…枠体。
【要約】
【目的】台所のキッチンシステムにおいて、加熱調理台，シンク等と、その周囲とを板にて仕切ると共に、仕切り箇所でのキッチン天板の清掃を行い易くすることができるキッチン用仕切りパネル装置を提供すること。
【構成】加熱調理台７１及びシンク７２等が具備されたキッチン天板７と、軸方向に沿って嵌込み溝１１が形成され且つキッチン天板７上に直立状態で固定されるホルダ１と、仕切板６と、嵌込み溝１１に挿入される下端支持ブロック２とからなること。ホルダ１は適宜の間隔をおいてキッチン天板７上に直立状態で固着され、両ホルダ１の嵌込み溝１１の下端に下端支持ブロック２が挿入され且つ両嵌込み溝１１に仕切り板６が装着されると共に、該仕切り板６は下端支持ブロック２上に載置され、該下端支持ブロック２を介して仕切り板６の下端縁６１とキッチン天板７との間に適宜の隙間が形成されること。
【選択図】      図１【図１】
0004651749.tif 000002
【図２】
0004651749.tif 000003
【図３】
0004651749.tif 000004
【図４】
0004651749.tif 000005
【図５】
0004651749.tif 000006
【図６】
0004651749.tif 000007